(57)【要約】【課題】箱状のフィルタを有するもので、それの取付けが上下を逆様にしても難なくできるようにする。【解決手段】フィルタ２３は、洗濯槽の内底部に位置する撹拌体の裏側に設けられたポンプ羽根が撹拌体の回転によって圧送する洗濯槽内の水を通すように洗濯槽に設けられた水路１８の吐出口２１に装着されてその吐出口２１から吐出される水を通すと共に、その水中から糸くず、ごみ等を捕獲するものであり、このフィルタ２３をフィルタ表体２４とフィルタ裏体２５とで箱状に構成する。このフィルタ２３は、流入口４１を下部と上部とに有し、逆止弁３８も下部と上部とに有する。よって、上下の区別がなく、その取付けを上下を逆様にしても難なく行うことができる。【選択図】図１
2010012143.tif 000002
【特許請求の範囲】
【請求項１】
洗濯槽と、
この洗濯槽の内底部に設けられた撹拌体と、
この撹拌体の裏側に設けられたポンプ羽根と、
このポンプ羽根が前記撹拌体の回転によって圧送する前記洗濯槽内の水を通すように前記洗濯槽に設けられ、その通した水を前記洗濯槽内に吐出する吐出口を有する水路と、
この水路の前記吐出口に装着されて、その吐出口から吐出される水を通すと共に、その水中から糸くず、ごみ等を捕獲するフィルタとを具備するものにおいて、
前記フィルタを、フィルタ表体と、フィルタ裏体とで箱状に構成し、
前記水路を通った水を前記フィルタの内部に流入させる流入口を前記フィルタの下部と上部とに設けると共に、
前記流入口から入った水の流入口からの流出を阻止する逆止弁を前記フィルタの下部と上部とに設けたことを特徴とする洗濯機。
【請求項２】
逆止弁を、フィルタ表体とフィルタ裏体のいずれか一方に上下対称的に設けたことを特徴とする請求項１記載の洗濯機。
【発明の詳細な説明】
【技術分野】
【０００１】
本発明は、箱状のフィルタを有する洗濯機に関する。
【背景技術】
【０００２】
従来より、洗濯機においては、洗濯槽にその底部から上部に延びる水路を設けると共に、この水路の先端（上端）吐出口部分にフィルタを設け、そして、洗濯槽の内底部に位置する撹拌体の裏側にポンプ羽根を設けて、このポンプ羽根が撹拌体の回転によって圧送する洗濯槽内の水を上述の水路を通して洗濯槽内に戻す循環を行わしめ、その循環水中から、これに含まれる糸屑、その他ごみ等を上述のフィルタにより捕獲するようにしたものが供されている。
【０００３】
このものの場合、フィルタは、ネット状のものと、箱状のものとがある（例えば特許文献１、２参照）。
【特許文献１】特開２０００−３５４６９７号公報
【特許文献２】特開平１１−５７２８７号公報
【発明の開示】
【発明が解決しようとする課題】
【０００４】
上記従来のフィルタのうち、ネット状のフィルタは、洗濯物が当たることで、破損したり、あるいは捕獲した糸屑、ごみ等が散出することがあり、それに対して、箱状のフィルタはそれらの心配がない。
しかしながら、箱状のフィルタの取付けは、その上下が決まっており、上下を逆様にして取付けようとすると、取付かないため、取付けのやり直しが強いられ、面倒であるという問題点を有していた。
【０００５】
本発明は上述の事情に鑑みてなされたものであり、従ってその目的は、箱状のフィルタを有するもので、それの取付けが上下を逆様にしても難なくできる洗濯機を提供するにある。
【課題を解決するための手段】
【０００６】
上記目的を達成するために、本発明の洗濯機においては、
洗濯槽と、この洗濯槽の内底部に設けられた撹拌体と、この撹拌体の裏側に設けられたポンプ羽根と、このポンプ羽根が前記撹拌体の回転によって圧送する前記洗濯槽内の水を通すように前記洗濯槽に設けられ、その通した水を前記洗濯槽内に吐出する吐出口を有する水路と、この水路の前記吐出口に装着されて、その吐出口から吐出される水を通すと共に、その水中から糸くず、ごみ等を捕獲するフィルタとを具備するものにおいて、
前記フィルタを、フィルタ表体と、フィルタ裏体とで箱状に構成し、前記水路を通った水を前記フィルタの内部に流入させる流入口を前記フィルタの下部と上部とに設けると共に、前記流入口から入った水の流入口からの流出を阻止する逆止弁を前記フィルタの下部と上部とに設けたことを特徴とする（請求項１の発明）。
【発明の効果】
【０００７】
上記手段によれば、フィルタ表体とフィルタ裏体とで箱状に構成されるフィルタは、流入口を下部と上部とに有し、逆止弁も下部と上部とに有するから、上下の区別がなく、故に、その取付けは上下を逆様にしても難なく行うことができる。
【発明を実施するための最良の形態】
【０００８】
以下、本発明の一実施例（一実施形態）につき、図面を参照して説明する。
まず、図２には、洗濯機、中でも全自動式の脱水兼用洗濯機の全体構成を示しており、下部より基台１ａ、箱本体１ｂ、及びトップカバー１ｃを積層結合して成る外箱１の内部に、水槽２を、複数本（１本のみ図示）の吊り棒３ａ及びスプリング３ｂを主体とする弾性吊持機構３により弾性支持して配設している。この水槽２は、有底の円筒状を成すもので、その底部の外下方には、駆動装置４を配設している。駆動装置４は、例えばアウターロータ形の直流ブラシレスモータを主体としており、内部に回転動力切換え用のクラッチ機構等（図示せず）を内蔵している。
【０００９】
このほか、水槽２の底部には、排水口５を形成し、この排水口５から排水弁６及び排水ホース７を通じて機外に排水するようにしている。又、排水口５には、水位検知用のエアトラップ８を並設し、このエアトラップ８にはエアチューブ９を介して図示しない水位センサを接続している。
又、水槽２の上縁部にはリング状の槽カバー１０を装着しており、トップカバー１ｃには蓋１１を例えば二つ折りにて開閉可能に設けている。
【００１０】
水槽２の内部には、回転槽１２を回転可能に配設している。この回転槽１２も、有底の円筒状を成すものであり、洗濯槽として機能すると共に、脱水槽としても機能するもので、その関係上、周側部に脱水孔１３を多数（一部のみ図示）有し、上端部に例えば液体封入形のリング状を成す回転バランサ１４を有している。
【００１１】
又、回転槽１２の内底部には撹拌体１５を配設している。この撹拌体１５は、表側である上面に、回転槽１２内で洗濯水流を生成する例えば放射状の水流生成羽根１６を有しており、裏側である下面に同じく放射状のポンプ羽根１７を有している。
なお、前記駆動装置４は、洗濯時に、回転槽１２を制止して撹拌体１５を正逆両方向に交互に回転させ、脱水時に、回転槽１２と共に撹拌体１５を一方向に高速回転させるようになっている。
【００１２】
しかして、回転槽１２の内側部には、水路１８を設けている。この水路１８は、回転槽１２の内底部から周側部をそれぞれ例えばプラスチック製の水路カバー１９により覆って設けたもので、その基端部である下端部は、前記撹拌体１５のポンプ羽根１７を位置させた回転槽１２内底部のポンプ室２０に連通している。
又、上方に延びた水路１８の中間部には、図３に示すように、吐出口２１を矩形に形成しており、それより更に上方の上端部には、洗剤投入漏斗２２を図２に示すヒンジ２２ａを中心としての出し入れ可能に設けている。
【００１３】
水路１８の吐出口２１には、フィルタ２３を装着している。このフィルタ２３は、図４に示すように、前側のプラスチック製のフィルタ表体２４と、後側の同じくプラスチック製のフィルタ裏体２５とから成っており、そのうちのフィルタ表体２４は、後側（裏側）が開放した矩形の薄箱状を成している。
【００１４】
このフィルタ表体２４の前側には多数の通水孔２６を格子状に形成しており、その通水孔２６にはそれぞれ密目のネット２７（一部のみ図示）を張設している。又、このフィルタ表体２４の左右の両側壁２４ａ，２４ｂの下部と上部には、突起２８と孔２９とを、突起２８が上下の内側、孔２９が上下の外側の、上下対称的に形成している（左側壁２４ａは上部の孔２９のみ図示）。
【００１５】
更に、このフィルタ表体２４の上下の両側壁２４ｃ，２４ｄには、図５に示すように、上記左右の両側壁２４ａ，２４ｂより低くて内外二重となった該両側壁２４ｃ，２４ｄのそれぞれ外側壁２４ｃ１，２４ｄ１の中央部に切欠部３０を形成し、内側壁２４ｃ２，２４ｄ２の中央部と左右の両側部とにそれぞれ孔３１を形成している。従って、それらの切欠部３０及び孔３１もフィルタ表体２４の上下部に左右対称的に形成している。
なお、３２は内側壁２４ｃ２，２４ｄ２の左右両側の孔３１を形成するために外側壁２４ｃ１，２４ｄ１の左右の両側部に形成した型抜き孔を示している。又、３３はフィルタ表体２４の前側の裏面に形成した補強用のリブを示している。
【００１６】
これに対して、フィルタ裏体２５は、前側と上下の両側とが開放した矩形の薄箱状を成しており、このフィルタ裏体２５の後側（奥側）には、図１に示すように、多数の通水孔３４を格子状に形成すると共に、その各通水孔２６を前側で覆うネット３５を形成している。又、このフィルタ裏体２５の左右の両側壁２５ａ，２５ｂの下部と上部には、図４に示すように、突起３６を上下対称的に形成している（右側壁２５ｂの突起３６のみ図示）。なお、この突起３６は上記フィルタ表体２４の孔２９と対応するものである。
【００１７】
更に、フィルタ裏体２５の後側の上部と下部には、前側へ比較的大きく突出する突起３７を、上記フィルタ表体２４の切欠部３０及び孔３１の位置に合わせて、中央部と左右の両側部とにそれぞれ形成している。
【００１８】
ここで、３８は上下二つの逆止弁を示しており、この逆止弁３８は、いずれも例えばゴム製にて、図５に示すように、厚肉棒状の基体部３８ａに薄肉板状のひれ部３８ｂを一体に形成して成り、基体部３８ａのひれ部３８ｂ側とは反対の側の中央部に凸部３９を形成し、ひれ部３８ｂ側の中央部と左右の両側部に凸部４０を形成している（上方の逆止弁３８は凸部３９のみを、下方の逆止弁３８は凸部４０のみを図示）。なお、凸部３９は上記フィルタ表体２４の切欠部３０と対応し、凸部４０は上記フィルタ表体２４の孔３１と対応している。
【００１９】
そこで、逆止弁３８のそれぞれ凸部３９をフィルタ表体２４の切欠部３０に挿入すると共に、凸部４０をフィルタ表体２４の孔３１に挿入すれば、フィルタ表体２４の下部と上部とにそれぞれ逆止弁３８が取付けられる。従って、逆止弁３８の凸部３９と凸部４０は、逆止弁３８の取付部として機能し、フィルタ表体２４の切欠部３０と孔３１は、逆止弁３８取付けのための被取付部として機能する。
【００２０】
そして、その後、フィルタ表体２４とフィルタ裏体２５とを合わせ（フィルタ表体２４の左右の両側壁２４ａ，２４ｂが外側、フィルタ裏体２５の左右の両側壁２５ａ，２５ｂが内側）、フィルタ表体２４の孔２９にフィルタ裏体２５の突起３６を内側より嵌合させれば、フィルタ表体２４とフィルタ裏体２５とが結合されて、フィルタ２３が図１に示すように下部と上部に逆止弁３８を組込んだ状態で組成される。従って、フィルタ表体２４の孔２９とフィルタ裏体２５の突起３６は、フィルタ表体２４とフィルタ裏体２５との結合のための結合部及び被結合部として機能する。
【００２１】
又、フィルタ２３の下部と上部には、フィルタ裏体２５の上下両側の前記開放口でもってそれぞれ流入口４１が形成され、逆止弁３８は、その各流入口４１のフィルタ表体２４側からフィルタ裏体２５側へ漸次流入口４１から離間する斜状にひれ部３８ｂを渡されている。更に、フィルタ裏体２５の突起３７は、逆止弁３８の基体部３８ａの中央部と左右の両側部とに近接対向して、凸部３９をフィルタ表体２４の切欠部３０に留めると共に、凸部４０をフィルタ表体２４の孔３１に留めるようになっている。
【００２２】
さて、以上のようなフィルタ２３に対して、前記水路カバー１９における吐出口２１の左右の両側縁部のやゝ上部寄りの部分には、図４に示すように、凹部４２を形成しており、吐出口２１より奥方の左右の両側部の下部と上部には、それぞれ孔４３を形成している（１箇所のみ図示）。この孔４３は、フィルタ表体２４の前記突起２８と対応するものであり、フィルタ２３の全体を吐出口２１に挿入して、孔４３を突起２８に嵌合させれば、フィルタ２３が吐出口２１に装着される。
【００２３】
なお、上記装着状態から、凹部４２に差し入れた指でフィルタ２３をつかんで、該フィルタ２３を引き抜けば、孔４３が突起２８から外れて、フィルタ２３を取外すことができる。又、その取外した状態で、フィルタ表体２４とフィルタ裏体２５とを引き離せば、孔２９が突起３６から外れて、フィルタ２３を分解することができる。
【００２４】
次に、上記構成のものの作用、効果を述べる。
洗濯時、回転槽１２内には図示しない洗濯物と洗剤とを入れ、この状態で、運転を開始させる。すると、回転槽１２内には、図示しない水位センサによる水位の検知結果をもとに、洗濯物の量に応じた水が供給される。そして、その給水後、回転槽１２を制止させた状態で、撹拌体１５が正逆両方向に交互に回転されることによって、回転槽１２内には水流生成羽根１６により時計回りと反時計回りの正逆両方向の水流が交互に生成され、洗濯物の洗濯が行われる。
【００２５】
この洗濯時、ポンプ羽根１７は撹拌体１５の回転によって回転槽１２内の水を水路１８に向けて圧送し、図１に矢印で示すように、水路１８を通して、吐出口２１から該吐出口２１に前述のごとく装着されたフィルタ２３を通す。このとき、水はフィルタ２３の下部の流入口４１から下部の逆止弁３８のひれ部３８ｂを押し退けてフィルタ２３内に進入するものであり、進入した水は、フィルタ２３内を通って、更に、フィルタ表体２４の各通水孔２６に張設されたネット２７の目を通り、もしくはフィルタ裏体２５の各通水孔３４に形成されたネット３５の目を通り、その過程で、水中に含んだ糸屑、その他ごみ等をネット２７もしくはネット３５に捕獲される。
【００２６】
そして、ネット２７，３５の目を通った水が回転槽１２内に吐出され、ポンプ羽根１７に吸引されて水路１８に向けて圧送されることが繰返され、循環される。
上述の糸屑、ごみ等を捕獲したフィルタ２３は、定期的に掃除をする必要があり、そのときにはフィルタ２３を前述のごとくして水路カバー１９の吐出口２１から取外す。又、取外したフィルタ２３は前述のごとくして分解し、捕獲した糸屑、ごみ等を除去する。
【００２７】
この糸屑、ごみ等を除去したフィルタ２３は、その後、再組立てして、水路カバー１９の吐出口２１に装着する。このとき、フィルタ２３は、流入口４１を下部と上部とに有し、逆止弁３８も下部と上部とに有する。よって、上下の区別がなく、水路カバー１９の吐出口２１に対するフィルタ２３の装着（取付け）を、フィルタ２３の上下を逆様にしても難なく行うことができ、糸屑、ごみ等を捕獲する機能を損ねることなく使用することができる。
【００２８】
又、分解したフィルタ２３を再組立てするとき、フィルタ２３は、逆止弁３８をフィルタ表体２４に上下対称的に設けているので、フィルタ裏体２５との関係が上下逆様になっても、難なく再組立てすることができ、よって、やはり糸屑、ごみ等を捕獲する機能を損ねることなく使用することができる。
【００２９】
なお、逆止弁３８は、前述の流入口４１のフィルタ表体２４側からフィルタ裏体２５側へ漸次流入口４１から離間する斜状にひれ部３８ｂを渡された構成により、流入口４１からフィルタ２３内への水の流入に関しては、ひれ部３８ｂの水流に沿った変形でそれを許容するものであるが、フィルタ２３内に進入した水の流入口４１からの流出については、それを阻止するもので、それにより、糸屑、ごみ等がその流出水流に伴われてフィルタ２３外に出るのを防ぎ、糸屑、ごみ等の高率捕獲に効果を奏する。
【００３０】
又、フィルタ裏体２５の突起３７は、前述のように、逆止弁３８の基体部３８ａの中央部と左右の両側部とに近接対向して、凸部３９をフィルタ表体２４の切欠部３０に留めると共に、凸部４０をフィルタ表体２４の孔３１に留めるのに供し、すなわち、逆止弁３８の外れ防止に効果を奏するが、同時に、流入口４１からフィルタ２３外に向かう水流で逆止弁３８のひれ部３８ｂが逆反りに変形するのを防ぐ効果もあり、それによって、逆止弁３８の機能が損なわれないようにし、糸屑、ごみ等の高率捕獲にやはり効果を奏する。
【００３１】
更に、逆止弁３８は、凸部４０を複数有し、この複数の凸部４０をフィルタ表体２４の孔３１に挿入することで、該フィルタ表体２４に取付けるようにしており、それによって、逆止弁３８を変形や脱落の不具合なく取付けることができる。
【００３２】
なお、逆止弁３８は、フィルタ表体２４にではなく、フィルタ裏体２５に逆向きに取付けるようにしても良く、要するに、フィルタ表体２４とフィルタ裏体２５のいずれか一方に上下対称的に設けると良い。
そのほか、本発明は上記し且つ図面に示した実施例にのみ限定されるものではなく、要旨を逸脱しない範囲内で適宜変更して実施し得る。
【図面の簡単な説明】
【００３３】
【図１】本発明の一実施例を示す主要部分の縦断側面図
【図２】洗濯機全体の破断側面図
【図３】主要部分をフィルタ取外し状態で示す斜視図
【図４】主要部分をフィルタ取外し分解状態で示す斜視図
【図５】フィルタ表体と逆止弁の分解状態での斜視図
【符号の説明】
【００３４】
図面中、１２は回転槽（洗濯槽）、１５は撹拌体、１７はポンプ羽根、１８は水路、２１は吐出口、２３はフィルタ、２４はフィルタ表体、２５はフィルタ裏体、３８は逆止弁、４１は流入口を示す。
【図１】
2010012143.tif 000003
【図２】
2010012143.tif 000004
【図３】
2010012143.tif 000005
【図４】
2010012143.tif 000006
【図５】
2010012143.tif 000007